(57)【要約】【課題】高含水率のウエットティッシュを収納した場合でも、ポップアップ性、水分蒸散防止性に優れたウエットティッシュ収納容器を提供する。【解決手段】折り畳まれた複数のウエットティッシュを内部に収納する共にその天面にウエットティッシュ取出用の開口部を有する合成樹脂フィルム製の袋本体と、該天面の下面にウエットティッシュ取出用の取出孔を前記開口部と略一致させて貼付けた撓みシートと、該開口部を覆って該天面の上面に着脱自在に粘着する開閉フラップとを有するウエットティッシュ収納容器であって、ウエットティッシュ同士のずれ応力が１．０Ｎ／５０ｍｍ以上であり、且つ、ウエットティッシュを取出す際の長手方向及びそれと直交する方向で互いに対向する開口部の開口端接線のなす撓み頂角が１６０度以上であることを特徴とするウエットティッシュ収納容器。【選択図】図１
2005255213.tif 000002
【特許請求の範囲】
【請求項１】
折り畳まれた複数のウエットティッシュを内部に収納する共にその天面にウエットティッシュ取出用の開口部を有する合成樹脂フィルム製の袋本体と、該天面の下面にウエットティッシュ取出用の取出孔を前記開口部と略一致させて貼付けた撓みシートと、該開口部を覆って該天面の上面に着脱自在に粘着する開閉フラップとを有するウエットティッシュ収納容器であって、ウエットティッシュ同士のずれ応力が１．０Ｎ／５０ｍｍ以上であり、且つ、ウエットティッシュを取出す際の長手方向及びそれと直交する方向で互いに対向する開口部の開口端接線のなす撓み頂角が１６０度以上であることを特徴とするウエットティッシュ収納容器。
【請求項２】
ウエットティッシュが、その乾燥質量１００質量部当たり水分を２５０質量部以上含有する請求項１に記載のウエットティッシュ収納容器。
【請求項３】
開口部がスリット状または楕円状である請求項１又は２に記載のウエットティッシュ収納容器。
【請求項４】
ウエットティッシュが、セルロース系繊維４０質量％以上、熱可塑性樹脂繊維６０質量％以下からなる不織布である請求項１乃至３の何れかに記載のウエットティッシュ収納容器。
【請求項５】
袋本体の展開形状に裁断した袋本体用フィルムに撓みシートを貼付け、次いで撓みシート貼付け部分を穿孔して開口部と取出孔とを同時に形成し、その後、開閉フラップを貼付け、更にその後ウエットティッシュ積層体を内部に収納すると共に袋本体用フィルムを製袋する請求項１に記載のウエットティッシュ収納容器の製造方法。
【発明の詳細な説明】
【技術分野】
【０００１】
本発明は、ウエットティッシュ収納容器に関する。更に詳述すれば、水分含有率の高いウエットティッシュを１枚ずつ順次取り出す際のポップアップ性に優れ、且つ、収納されたウエットティッシュ中の水分の蒸散防止性に優れるウエットティッシュ収納容器に関する。
【背景技術】
【０００２】
水分を含浸させた抄紙シートや不織布はウエットティッシュとして広く利用されている。これらのウエットティッシュはプラスティックや金属箔ラミネートフィルムの容器や防水処理を施された紙容器に収納されて市販されている。
【０００３】
プラスティックシートを用いたウエットティッシュ収納容器としては、例えば、柔軟な袋状シートと剛直な保形部材とを組み合わせた包装体（特許文献１）や、ウエットティッシュの取出口をシートで補強した袋状の包装体（特許文献２）等が提案されている。
【０００４】
これら提案のウエットティッシュ収納容器は、通常の含水率のウエットティッシュ（例えば、ウエットティッシュ乾燥質量１００質量部当たり水分が２００質量部以下：含水率２００％以下）の包装用としては問題無く使用できる。しかしながら、含水率の高いウエットティッシュ（例えば、含水率２５０％以上）の包装に用いた場合には、これら提案のウエットティッシュ収納容器ではウエットティッシュを取出す際に、取出が困難であったり、二枚以上連なって取出されてしまう等ポップアップ性に問題が生じる。或は、ウエットティッシュの取出しを何度も行うと取出口が不規則に波打って変形し、蓋材を閉めても収納容器内部を密封できなくなり、ウエットティッシュ中の水分の蒸散防止性に問題が生じる。
【０００５】
近年、高含水率のウエットティッシュ商品が要求されている。例えば、幼児を対象とした衛生用のウエットティッシュは、使用する際に高含水率（例えば、含水率が２５０％以上）であることが要求される。しかしながら、このような高含水率のウエットティッシュの収納に、従来のウエットティッシュ収納容器を用いると、前記ポップアップ性や蒸散防止性に問題が生じる。
【特許文献１】：特開昭６３−１５２５７７号公報（特許請求の範囲）
【特許文献２】：特開平９−１５０８７２号公報（特許請求の範囲）
【発明の開示】
【発明が解決しようとする課題】
【０００６】
本発明は上記事情に鑑みなされたもので、その目的とするところは、高含水率のウエットティッシュを収納した場合でも、ポップアップ性、水分蒸散防止性に優れたウエットティッシュ収納容器を提供することにある。
【課題を解決するための手段】
【０００７】
上記課題を解決する本発明は以下に記載するものである。
【０００８】
〔１〕  折り畳まれた複数のウエットティッシュを内部に収納する共にその天面にウエットティッシュ取出用の開口部を有する合成樹脂フィルム製の袋本体と、該天面の下面にウエットティッシュ取出用の取出孔を前記開口部と略一致させて貼付けた撓みシートと、該開口部を覆って該天面の上面に着脱自在に粘着する開閉フラップとを有するウエットティッシュ収納容器であって、ウエットティッシュ同士のずれ応力が１．０Ｎ／５０ｍｍ以上であり、且つ、ウエットティッシュを取出す際の長手方向及びそれと直交する方向で互いに対向する開口部の開口端接線のなす撓み頂角が１６０度以上であることを特徴とするウエットティッシュ収納容器。
【０００９】
〔２〕  ウエットティッシュが、その乾燥質量１００質量部当たり水分を２５０質量部以上含有する〔１〕に記載のウエットティッシュ収納容器。
【００１０】
〔３〕  開口部がスリット状または楕円状である〔１〕又は〔２〕に記載のウエットティッシュ収納容器。
【００１１】
〔４〕  ウエットティッシュが、セルロース系繊維４０質量％以上、熱可塑性樹脂繊維６０質量％以下からなる不織布である〔１〕乃至〔３〕の何れかに記載のウエットティッシュ収納容器。
【００１２】
〔５〕  袋本体の展開形状に裁断した袋本体用フィルムに撓みシートを貼付け、次いで撓みシート貼付け部分を穿孔して開口部と取出孔とを同時に形成し、その後、開閉フラップを貼付け、更にその後ウエットティッシュ積層体を内部に収納すると共に袋本体用フィルムを製袋する〔１〕に記載のウエットティッシュ収納容器の製造方法。
【発明の効果】
【００１３】
本発明のウエットティッシュ収納容器は、取出口の抵抗を高めることで、ウエットティッシュ取出しの際のポップアップ性に優れる。その結果、ウエットティッシュ同士のずれ応力が高い高含水率のウエットティッシュでも支障無く取出すことができる。
【００１４】
本発明のウエットティッシュ収納容器は、取出口の剛性を高めることで、ウエットティッシュ取出しの際に取出口周辺をほぼ平面に保つことができ、皺が生じ難い。その結果、ウエットティッシュの取出の際の摩擦抵抗が常に一定になり、ウエットティッシュを１枚ずつ確実に取出すことができる。また、開閉フラップを閉じた際の密封性が損なわれないので、収納されたウエットティッシュ中の水分の蒸散防止性に優れる。
【００１５】
本発明のウエットティッシュ収納容器は、蓋材を一体化したような剛直な保形部材を用いないので製造コストを低減でき、経済性に優れる。
【００１６】
本発明において、開口部の保形用として用いる撓みシートは、袋本体フィルムの内側に貼り付けられているので、万一、撓みシートが剥れた場合でも、開口部の保形が維持できる。
【発明を実施するための最良の形態】
【００１７】
以下、本発明について図面により更に説明する。
【００１８】
図１は、本発明のウエットティッシュ収納容器の一例を示す平面図である。図１中、１はウエットティッシュ収納容器（寸法が、長手方向２００ｍｍ、長手方向と直交する方向（直交方向）１００ｍｍ、厚み方向が最厚部で５０ｍｍの略直方体形状）で、内部に折り畳まれた複数のウエットティッシュ３（折り畳み平均寸法が長手方向１４０ｍｍ、直交方向９０ｍｍの三つ折のもの）が収納されている。収納されているウエットティッシュ３は、含水率が４００％のもので、ウエットティッシュ同士のずれ応力が平均２．０Ｎ／５０ｍｍのものである。１１は袋本体（厚み１２μｍの透明蒸着ポリエチレンテレフタレート（ＰＥＴ）フィルムと厚み５０μｍの低密度ポリエチレン（ＬＤＰＥ）フィルムとの積層フィルム）で、その天面１２に略楕円形でその長軸を収納容器１の長手方向に一致させて開口部１３（長軸４０ｍｍ、短軸１７ｍｍの楕円形状）が設けられている。開口部１３は、ウエットティッシュ収納容器天面のほぼ中央部に設けられている。天面１２の下面には撓みシート１４（厚み１００μｍの二軸配向ＰＥＴフィルム、長手方向８０ｍｍ、直交方向５０ｍｍの矩形形状）が貼付けられている。撓みシート１４にはウエットティッシュ取出用の取出孔１５（前記開口部１３と同一形状）が開口部１３の直下に形成されている。この取出孔１５は、上記袋本体用積層フィルムの裏面に上記撓みシートを貼付けた状態で開口部１３と同時に打抜き穿孔されたものである。また、前記開口部１３を覆って天面１２に着脱自在に粘着する角の丸められた長方形形状の開閉フラップ１６（長手方向８０ｍｍ、直交方向４０ｍｍの矩形形状）が設けられている。尚、２０は開閉フラップ１６の一端に一体に形成された取手である。
【００１９】
図２は、図１における、ａ−ａ線に沿った断面図である。図２で１７は、開閉フラップ１６を天面１２の上面に着脱自在に粘着させるための粘着剤層（層厚み２０μｍのアクリル系粘着剤）である。図２中のその他の符号は図１と同様である。
【００２０】
図３は、本発明のウエットティッシュ収納容器からウエットティッシュを取出す状態の一例を示す平面図である。図３中、３ａは取出される途中のウエットティッシュ、１６ａは開かれた状態の開閉フラップである。図３中のその他の符号は図１と同様である。
【００２１】
図４は、図３における、ｂ−ｂ線に沿った断面図である。図４中のその他の符号は図１と同様である。
【００２２】
図５は、本発明のウエットティッシュ収納容器からウエットティッシュを取出す状態における開口部の一例を示す平面図である。図５中１３ａは開口部長手方向の一方の端部、１３ｂは１３ａと対向する開口部長手方向のもう一方の端部であり、１３ｃは開口部直交方向の一方の端部、１３ｄは１３ｃと対向する開口部直交方向のもう一方の端部である。
【００２３】
図６は、図５における、ｃ−ｃ線に沿った部分断面図である。この図は、ティッシュペーパーを取出す際に開口部が上方に引っ張られて天面が撓む状態を示している。図６中、αは撓み頂角である。撓み頂角αは、開口部の長手方向の端部１３ａを含む天面表面の長手方向接線１８ａと、これに対向する開口部の長手方向のもう一方の端部１３ｂを含む天面表面の長手方向接線１８ｂとのなす頂角である。
【００２４】
図７は、図５における、ｄ−ｄ線に沿った部分断面図である。この図は、ティッシュペーパーを取出す際に開口部が上方に引っ張られて天面が撓む状態を示している。図７中、撓み頂角αは、開口部の直交方向の端部１３ｃを含む天面表面の直交方向接線１８ｃと、これに対向する開口部の直交方向のもう一方の端部１３ｄを含む天面表面の直交方向接線１８ｄとのなす頂角である。
【００２５】
本発明では、ウエットティッシュを取出す際の開口部の長手方向及びそれと直交する方向の撓み頂角が１６０度以上であることを必要とする。本発明における撓み頂角は、収納容器から開口部を通してウエットティッシュを３００ｍｍ／ｍｉｎの取出速度で取出す過程で上記αが最大となる角度のことである。撓み頂角が１６０度未満であると、開口部の変形によりポップアップ性に問題が生じる。更に、この場合は、撓みシートが柔軟すぎることが多い。このためウエットティッシュ取出し回数が多くなると、開口部の形状が波打ち、その結果開閉フラップによる容器内部の密封が不完全になる。
【００２６】
本発明において、開口部の撓み頂角の上限は１８０度であるが、１７８度であることが好ましい。撓み頂角が１７８度を超えると、開口部の剛性が強すぎてウエットティッシュの取出が困難になることや、取出の際にウエットティッシュが切断されることがある。
【００２７】
撓み頂角は、ウエットティッシュ収納容器からウエットティッシュを取出す過程で、ウエットティッシュ収納容器の側面から連続写真撮影し、得られた画像を解析すること等により測定できる。
【００２８】
（収納容器の形状）
本発明におけるウエットティッシュ収納容器１は、長手方向１３０〜３５０ｍｍ、直交方向７０〜１５０ｍｍ、厚み２０〜７０ｍｍの略直方体形状であることができる。尚、ウエットティッシュ収納容器長手方向の両端部の厚みは、製袋により袋本体用フィルムがシールされているので、肉薄になっている。
【００２９】
（ウエットティッシュ）
本発明においてウエットティッシュ収納容器に収納するウエットティッシュは、ウエットティッシュ同士のずれ応力が１．０Ｎ／５０ｍｍ以上のものである。このようにずれ応力の高いウエットティッシュは、含水率の高いウエットティッシュにより得られる。例えば、含水率が２５０％以上のウエットティッシュであれば、上記ずれ応力のものを得ることができる。ウエットティッシュの含水率は使用の際の要求から３００％以上であることが好ましく、３５０％以上であることが特に好ましい。
【００３０】
本発明において、ウエットティッシュ同士のずれ応力の測定は、以下の方法により行う。即ち、二枚重ね合わせた５０ｍｍ幅のウエットティッシュにずれ応力が生じるよう各々のウエットティッシュ端部をチャックで把握し（チャック幅５０ｍｍ、チャック間隔６０ｍｍ）、３００ｍｍ／ｍｉｎの試験速度で引っ張った際の応力を測定する。測定された応力の最大値をウエットティッシュ同士のずれ応力とする。応力の測定は通常の引っ張り試験機（例えば、オリエンティック株式会社製、テンシロン引っ張り試験機）で実施できる。
【００３１】
収納するウエットティッシュ３の折り畳み寸法は、長手方向１００〜２６０ｍｍ、直交方向４０〜１４０ｍｍの範囲の略矩形形状であることが好ましい。
【００３２】
本発明におけるウエットティッシュは、セルロース系繊維４０質量％以上、ポリエステルやポリアミド等の熱可塑性樹脂繊維６０質量％以下からなる不織布であるであることが好ましい。また、本発明におけるウエットティッシュは、例えば家具や用具に用いる清掃用のもの、或いは人体に対して拭き取りに用いる衛生用のものであり、特に高水分含量を必要とする衛生用のものに適する。
【００３３】
（袋本体）
本発明において、ウエットティッシュ収納容器の袋本体には、従来ウエットティッシュ収納容器に用いられている柔軟で容易に変形する合成樹脂フィルムを用いることができる。このようなフィルムは、例えば、ＰＥＴ、ＬＤＰＥ、ポリプロピレン（ＰＰ）等のフィルム、これらにアルミニウム（ＡＬ）を蒸着したフィルム、或はこれらの積層フィルムから適宜選ぶことができる。袋本体１１には、通常用いられている厚みのフィルムを使用でき、例えば、４０〜１２０μｍのＰＥＴ／ＡＬ／ＬＬＤＰＥ積層フィルム、特に５０〜８０μｍのＰＥＴ／ＡＬ／ＬＬＤＰＥ積層フィルムを好ましく用いることができる。
【００３４】
（開口部）
袋本体１１の天面１２には、開口部１３が設けられる。開口部１３は、ウエットティッシュ収納容器天面のほぼ中央部に設けることが好ましい。
【００３５】
開口部１３の形状は、楕円形、円形、矩形、スリット形状（線状）等から選ぶことができる。これらの形状のうち楕円形状が特に好ましい。この場合長軸３０から１００ｍｍ、短軸１０から４０ｍｍの楕円形状がポップアップ性に優れるので好ましい。
【００３６】
開口部の形状や寸法はウエットティッシュを収納容器から取出す際の取出抵抗から決定することが好ましい。この取出抵抗（Ｎ）は、ウエットティッシュ同士の実ずれ応力（Ｎ）の１．０から２．０倍であることが好ましい。尚、ウエットティッシュ同士の実ずれ応力（Ｎ）は、開口部でのずれ抵抗を無くした状態（例えば、ウエットティッシュ収納容器の天面を取り除いた状態）で、３００ｍｍ／ｍｉｎの速度でウエットティッシュを取出した際の応力を実測することにより求めることができる。或は、収納したウエットティッシュ同士のずれ応力（Ｎ／５０ｍｍ）測定値と、収納されているウエットティッシュの幅（ｍｍ）からも計算により求めることができる。
【００３７】
（撓みシート）
本発明において、袋本体天面の下面には、取出孔を形成した撓みシート１４を貼付ける。撓みシート１４は、厚みが５０〜２００μｍ、特に８０〜１２０μｍであることが好ましい。撓みシート１４はＰＥＴ、ＬＤＰＥ、ＰＰ等のシート（フィルム）、及び紙、不織布等のシートから選ぶことができる。これらのうち、剛性の面から二軸配向ＰＥＴフィルムであることが特に好ましい。撓みシートの寸法は、取出孔１５の周辺から１０ｍｍ以上であることが好ましい。例えば、長手方向に５０から１３０ｍｍ、直交方向に３０から１１０ｍｍの矩形形状である。
【００３８】
（取出孔）
撓みシート１４に設けられている取出孔１５は、開口部１３と同一形状で、開口部１３と同一位置に形成されていることが好ましい。このような取出孔１５は、上記袋本体用積層フィルムの裏面に上記撓みシートを貼付けた状態で開口部１３と同時に打抜き穿孔することにより得ることができる。この取出孔１５の形状が開口部１３よりも大きいと、ウエットティッシュを繰り返し取出す過程で開口部１３が変形し、開口部を開閉フラップで閉じた際に気密性が失われる。尚、取出孔１５の形状、寸法等については、前記開口部と同様である。
【００３９】
（開閉フラップ）
開閉フラップ１６は、開口部１３を覆って天面１２の上面に着脱自在に粘着することで、収納されているウエットティッシュからの水分に蒸散を防止する。開閉フラップ１６の寸法は、開口部１３の周辺から５ｍｍ以上であることが好ましい。例えば、長手方向に４０〜１３０ｍｍ、長手方向と直交する方向に２５〜１００ｍｍの矩形形状である。尚、開閉フラップには、その一端に一体に形成された取手を設けると開閉が容易になるため好ましい。本発明において、開閉フラップ１６には通常用いられている厚みのプラスチックフィルムを使用でき、例えば、５０〜２００μｍのフィルム特に８０〜１２０μｍのフィルムが好ましい。開閉フラップ１６に用いるフィルムの材質は、低密度ポリエチレン、ポリプロピレン等である。特にポリプロピレンが好ましい。
【００４０】
（粘着材層）
開閉フラップ１６の下面（袋本体の開口部外周部分）には粘着剤を塗布して形成した粘着剤層１７が形成されている。そして、開閉フラップ１６は開口部１３を覆って袋本体上面に着脱自在に貼着される。
【００４１】
粘着材層１７は、前記説明では開閉フラップ１６の下面に開口部１３の箇所を避けて施されているが、天面１２の開口部１３周辺の開閉フラップ１６と接触する箇所の施されていても良い。粘着剤層の層厚みは１８から２５μｍが良い。また、粘着剤は、通常用いられる材質のものであり、例えば、アクリル系粘着剤等を挙げることができる。
【図面の簡単な説明】
【００４２】
【図１】本発明のウエットティッシュ収納容器の一例を示す平面図である。
【図２】図１における、ａ−ａ線に沿った断面図である。
【図３】本発明のウエットティッシュ収納容器からウエットティッシュを取出す状態の一例を示す平面図である。
【図４】図３における、ｂ−ｂ線に沿った断面図である。
【図５】本発明のウエットティッシュ収納容器からウエットティッシュを取出す状態における開口部の一例を示す平面図である。
【図６】図５における、ｃ−ｃ線に沿った部分断面図である。
【図７】図５における、ｄ−ｄ線に沿った部分断面図である。
【符号の説明】
【００４３】
１    ウエットティッシュ収納容器
３    ウエットティッシュ
３ａ    取出される途中のウエットティッシュ
１１    袋本体
１２    天面
１３    開口部
１３ａ    開口部長手方向の一方の端部
１３ｂ    開口部長手方向のもう一方の端部
１３ｃ    開口部直交方向の一方の端部
１３ｄ    開口部直交方向のもう一方の端部
１４    撓みシート
１５    取出孔
１６    開閉フラップ
１６ａ    開かれた状態の開閉フラップ
１７    粘着剤層
１８ａ    開口部の端部を含む天面表面の長手方向の接線
１８ｂ    もう一方の開口部の端部を含む天面表面の長手方向の接線
１８ｃ    開口部の端部を含む天面表面の直交方向の接線
１８ｂ    もう一方の開口部の端部を含む天面表面の直交方向の接線
２０    取手
α    開口部の撓み頂角
【図１】
2005255213.tif 000003
【図２】
2005255213.tif 000004
【図３】
2005255213.tif 000005
【図４】
2005255213.tif 000006
【図５】
2005255213.tif 000007
【図６】
2005255213.tif 000008
【図７】
2005255213.tif 000009